(57)【要約】【課題】対象文章を象徴する漢字一文字を推定することができる漢字推定プログラム、装置、サーバ及び方法を提供する。【解決手段】対象文章を象徴する漢字を推定するようにコンピュータを機能させる漢字推定プログラムであって、対象文章から形態素解析によって単語を抽出する形態素解析手段と、単語毎の出現頻度に応じて、特徴的な所定数の話題語（単語）を抽出する話題語抽出手段と、話題語を漢字単位に区分すると共に、漢字毎に当該話題語の出現頻度を対応付ける漢字区分手段と、出現頻度が高い所定数上位の漢字を、対象文章を象徴する漢字として推定する漢字推定手段としてコンピュータを機能させる。【選択図】図１
2014186429.tif 000002
【特許請求の範囲】
【請求項１】
対象文章を象徴する漢字を推定するようにコンピュータを機能させる漢字推定プログラムであって、
前記対象文章から形態素解析によって単語を抽出する形態素解析手段と、
前記単語毎の出現頻度に応じて、特徴的な所定数の話題語（単語）を抽出する話題語抽出手段と、
前記話題語を漢字単位に区分すると共に、漢字毎に当該話題語の出現頻度を対応付ける漢字区分手段と、
前記出現頻度が高い所定数上位の漢字を、前記対象文章を象徴する漢字として推定する漢字推定手段と
してコンピュータを機能させることを特徴とする漢字推定プログラム。
【請求項２】
前記出現頻度は、ＴＦ−ＩＤＦ（Term Frequency - Inverse Document Frequency：単語の出現頻度−逆出現頻度）値であるようにコンピュータを機能させることを特徴とする請求項１に記載の漢字推定プログラム。
【請求項３】
前記出現頻度は、出現した対象文章の数を表すＤＦ(Document Frequency)値であるようにコンピュータを機能させることを特徴とする請求項１に記載の漢字推定プログラム。
【請求項４】
前記漢字推定手段は、漢字毎に当該漢字を含む熟語数を記憶した国語辞書情報を用いて、熟語数が少ない漢字ほど上位にソートされるように、前記出現頻度に乗算するようにコンピュータを機能させることを特徴とする請求項１から３のいずれか１項に記載の漢字推定プログラム。
【請求項５】
前記漢字推定手段は、
調整ポイント＝（出現頻度／話題語数）／√（熟語数）
によって算出された調整ポイントによって、前記漢字をソートする
ようにコンピュータを機能させることを特徴とする請求項１から４のいずれか１項に記載の漢字推定プログラム。
【請求項６】
対象文章を、所定条件に基づいて別々に蓄積した複数の対象文章蓄積手段を有し、
前記話題語抽出手段は、前記単語毎の出現頻度に加えて、異なる対象文章蓄積手段同士を比較して特徴的に出現する所定数の話題語を抽出するようにコンピュータを機能させることを特徴とする請求項１から５のいずれか１項に記載の漢字推定プログラム。
【請求項７】
第１の単語に類似する、漢字のみで構成された第２の単語を対応付けて記憶した類似語蓄積手段と、
前記類似語蓄積手段を用いて、前記話題語抽出手段から出力された前記話題語（第１の単語）に類似する第２の単語を話題語として、前記漢字区分手段へ出力する話題語変換手段と
してコンピュータを機能させることを特徴とする請求項１から６のいずれか１項に記載の漢字推定プログラム。
【請求項８】
漢字と名言文章とを対応付けて蓄積した名言蓄積手段を更に有し、
前記漢字推定手段から出力された漢字と、前記名言蓄積手段を用いて当該漢字に対応する前記名言文章とを出力する
ようにコンピュータを機能させることを特徴とする請求項１から７のいずれか１項に記載の漢字推定プログラム。
【請求項９】
前記対象文章は、不特定多数の第三者によってコメント公開サーバに投稿されたコメント文章であるようにコンピュータを機能させることを特徴とする請求項１から８のいずれか１項に記載の漢字推定プログラム。
【請求項１０】
対象文章を象徴する漢字を推定する装置であって、
前記対象文章から形態素解析によって単語を抽出する形態素解析手段と、
前記単語毎の出現頻度に応じて、特徴的な所定数の話題語（単語）を抽出する話題語抽出手段と、
前記話題語を漢字単位に区分すると共に、漢字毎に当該話題語の出現頻度を対応付ける漢字区分手段と、
前記出現頻度が高い所定数上位の漢字を、前記対象文章を象徴する漢字として推定する漢字推定手段と
を有することを特徴とする漢字推定用の装置。
【請求項１１】
不特定多数の第三者によって投稿されたコメント文章を公開するコメント公開サーバと、ユーザ操作に基づく端末とネットワークを介して通信可能であり、対象文章を象徴する漢字を推定する漢字推定サーバであって、
前記コメント公開サーバから、コメント文章を対象文章として収集する対象文章収集手段と、
前記対象文章から形態素解析によって単語を抽出する形態素解析手段と、
前記単語毎の出現頻度に応じて、特徴的な所定数の話題語（単語）を抽出する話題語抽出手段と、
前記話題語を漢字単位に区分すると共に、漢字毎に当該話題語の出現頻度を対応付ける漢字区分手段と、
前記出現頻度が高い所定数上位の漢字を、前記対象文章を象徴する漢字として推定する漢字推定手段と
を有することを特徴とする漢字推定サーバ。
【請求項１２】
装置を用いて、対象文章を象徴する漢字を推定する漢字推定方法であって、
前記対象文章から形態素解析によって単語を抽出する第１のステップと、
前記単語毎の出現頻度に応じて、特徴的な所定数の話題語（単語）を抽出する第２のステップと、
前記話題語を漢字単位に区分すると共に、漢字毎に当該話題語の出現頻度を対応付ける第３のステップと、
前記出現頻度が高い所定数上位の漢字を、前記対象文章を象徴する漢字として推定する第４のステップと
を有することを特徴とする漢字推定方法。
【発明の詳細な説明】
【技術分野】
【０００１】
本発明は、対象文章から自動的に要約を生成する技術に関する。
【背景技術】
【０００２】
近年、テキスト要約技術の進歩によって、Ｗｅｂページに記述された長い対象文章も短時間で圧縮し、ブラウザで閲覧することができる。要約を更に進めると、そのような対象文章を、文やキーワードにまで凝縮させることもできる。但し、テキスト要約技術は、論理的な意味のまとまりを保持するものであっって、通常、パラグラフのような文章を生成するに留まる。
【０００３】
テキスト要約技術は、対象文章から単語を抽出し、それら単語を含む文を繋ぎ合わせて要約文章を生成する。最近では、複数の対象文章を要約するものもあるが、いずれにせよ論理的な文章として再構成するものが一般的である（例えば非特許文献１参照）。また、内容網羅性及び可読性の高い要約を生成するために、文要素に種々の素性を付与する技術もある（例えば特許文献１参照）。一方で、対象文章に対して各種のアノテーションを施すことによって、簡易に検索する技術もある（例えば非特許文献２参照）。この技術によれば、対象文章における語の分布や形式的特徴から、種々の属性を付与するものであって、アノテーションされた情報自体を人間が参照することは少ない。
【０００４】
人間が、原文となる対象文章を読むことなく、要約文章のみで理解するためには、要約文章には、ある程度の文章の長さが必要であり、原文の大意を反映することが必要である。しかし、その要求レベルに応じることは一般に非常に難度が高い。これに対して、検索結果の一覧等で表示される表題や目次的な情報を提示する技術もあるが、この技術によれば、そのリンク先を示すための中間段階の手掛り情報に過ぎない。
【０００５】
テキスト要約及びアノテーションには、以下のような関係がある。
［テキスト要約］
（特徴）複数文章を一定の長さで論理的に再構成した要約文章の生成には難度が高い。
（ユーザ視点から）要約文章を理解するのに、時間を要する。
［アノテーション］
（特徴）基本的に文章単位で、要約文章を作成する。
（ユーザ視点から）直接参照ではなく、検索の手掛りとして、要約文章を使用する。
【先行技術文献】
【特許文献】
【０００６】
【特許文献１】特開２０１１−２４３１６６号公報
【非特許文献】
【０００７】
【非特許文献１】難波英嗣・奥村学、「ここまで来たテキスト自動要約」、情報処理 Vol43、2002 No.12、[online]、［平成２５年２月１１日検索］、インターネット＜URL:http://www.ls.info.hiroshima-cu.ac.jp/~nanba/pdf/IPSJ-MGN431203_2002.pdf＞
【非特許文献２】冨浦洋一・石田栄美、「学術論文検索の高度化のための論文アブストラクトのアノテーション」、テキストアノテーションワークショップ・コンテスト（国立情報学研究所）、2012、[online]、［平成２５年２月１１日検索］、インターネット＜URL:http://nlp.nii.ac.jp/tawc/papers/C03_tomiura.pdf＞
【非特許文献３】「JIS一種漢字2965字を用いて作成される漢字二字熟語数表」、名古屋大学教育学部紀要、Vol.44、 pp.243-299、1997.
【非特許文献４】「名言ナビ」、[online]、［平成２５年２月１１日検索］、インターネット＜URL:http://www.meigennavi.net/＞
【発明の概要】
【発明が解決しようとする課題】
【０００８】
例えば毎年恒例のニュースとして、その年の世相を表わす「今年の漢字」の投票結果に対する注目度が高い。ここで、本願の発明者らは、テキスト要約を更に進めることによって、対象文章を「漢字」一文字にまで象徴させることができるのではないか、と考えた。即ち、人間によって記述されたニュース記事やコメント文章のような対象文章であっても、共感できる「漢字」一文字に象徴的に表現することができるのではないか、と考えた。
【０００９】
そこで、本発明は、対象文章を象徴する漢字一文字を推定することができる漢字推定プログラム、装置、サーバ及び方法を提供することを目的とする。
【課題を解決するための手段】
【００１０】
本発明によれば、対象文章を象徴する漢字を推定するようにコンピュータを機能させる漢字推定プログラムであって、
対象文章から形態素解析によって単語を抽出する形態素解析手段と、
単語毎の出現頻度に応じて、特徴的な所定数の話題語（単語）を抽出する話題語抽出手段と、
話題語を漢字単位に区分すると共に、漢字毎に当該話題語の出現頻度を対応付ける漢字区分手段と、
出現頻度が高い所定数上位の漢字を、対象文章を象徴する漢字として推定する漢字推定手段と
してコンピュータを機能させることを特徴とする。
【００１１】
本発明の漢字推定プログラムにおける他の実施形態によれば、
出現頻度は、ＴＦ−ＩＤＦ（Term Frequency - Inverse Document Frequency：単語の出現頻度−逆出現頻度）値であるようにコンピュータを機能させることも好ましい。
【００１２】
本発明の漢字推定プログラムにおける他の実施形態によれば、
出現頻度は、出現した対象文章の数を表すＤＦ(Document Frequency)値であるようにコンピュータを機能させることも好ましい。
【００１３】
本発明の漢字推定プログラムにおける他の実施形態によれば、
漢字推定手段は、漢字毎に当該漢字を含む熟語数を記憶した国語辞書情報を用いて、熟語数が少ない漢字ほど上位にソートされるように、出現頻度に乗算するようにコンピュータを機能させることも好ましい。
【００１４】
本発明の漢字推定プログラムにおける他の実施形態によれば、
漢字推定手段は、
調整ポイント＝（出現頻度／話題語数）／√（熟語数）
によって算出された調整ポイントによって、漢字をソートする
ようにコンピュータを機能させることも好ましい。
【００１５】
本発明の漢字推定プログラムにおける他の実施形態によれば、
対象文章を、所定条件に基づいて別々に蓄積した複数の対象文章蓄積手段を有し、
話題語抽出手段は、単語毎の出現頻度に加えて、異なる対象文章蓄積手段同士を比較して特徴的に出現する所定数の話題語を抽出するようにコンピュータを機能させることも好ましい。
【００１６】
本発明の漢字推定プログラムにおける他の実施形態によれば、
第１の単語に類似する、漢字のみで構成された第２の単語を対応付けて記憶した類似語蓄積手段と、
類似語蓄積手段を用いて、話題語抽出手段から出力された話題語（第１の単語）に類似する第２の単語を話題語として、漢字区分手段へ出力する話題語変換手段と
してコンピュータを機能させることも好ましい。
【００１７】
本発明の漢字推定プログラムにおける他の実施形態によれば、
漢字と名言文章とを対応付けて蓄積した名言蓄積手段を更に有し、
漢字推定手段から出力された漢字と、名言蓄積手段を用いて当該漢字に対応する名言文章とを出力する
ようにコンピュータを機能させることも好ましい。
【００１８】
本発明の漢字推定プログラムにおける他の実施形態によれば、
対象文章は、不特定多数の第三者によってコメント公開サーバに投稿されたコメント文章であるようにコンピュータを機能させることも好ましい。
【００１９】
本発明によれば、対象文章を象徴する漢字を推定する装置であって、
対象文章から形態素解析によって単語を抽出する形態素解析手段と、
単語毎の出現頻度に応じて、特徴的な所定数の話題語（単語）を抽出する話題語抽出手段と、
話題語を漢字単位に区分すると共に、漢字毎に当該話題語の出現頻度を対応付ける漢字区分手段と、
出現頻度が高い所定数上位の漢字を、対象文章を象徴する漢字として推定する漢字推定手段と
を有することを特徴とする。
【００２０】
本発明によれば、不特定多数の第三者によって投稿されたコメント文章を公開するコメント公開サーバと、ユーザ操作に基づく端末とネットワークを介して通信可能であり、対象文章を象徴する漢字を推定する漢字推定サーバであって、
コメント公開サーバから、コメント文章を対象文章として収集する対象文章収集手段と、
対象文章から形態素解析によって単語を抽出する形態素解析手段と、
単語毎の出現頻度に応じて、特徴的な所定数の話題語（単語）を抽出する話題語抽出手段と、
話題語を漢字単位に区分すると共に、漢字毎に当該話題語の出現頻度を対応付ける漢字区分手段と、
出現頻度が高い所定数上位の漢字を、対象文章を象徴する漢字として推定する漢字推定手段と
を有することを特徴とする。
【００２１】
本発明によれば、装置を用いて、対象文章を象徴する漢字を推定する漢字推定方法であって、
対象文章から形態素解析によって単語を抽出する第１のステップと、
単語毎の出現頻度に応じて、特徴的な所定数の話題語（単語）を抽出する第２のステップと、
話題語を漢字単位に区分すると共に、漢字毎に当該話題語の出現頻度を対応付ける第３のステップと、
出現頻度が高い所定数上位の漢字を、対象文章を象徴する漢字として推定する第４のステップと
を有することを特徴とする。
【発明の効果】
【００２２】
本発明の漢字推定プログラム、装置、サーバ及び方法によれば、対象文章を象徴する漢字一文字を推定することができる。
【図面の簡単な説明】
【００２３】
【図１】本発明における漢字推定装置の機能構成図である。
【図２】本発明の漢字推定部によって「漢字」をソートした表である。
【図３】本発明におけるシステム構成図である。
【図４】本発明におけるシーケンス図である。
【発明を実施するための形態】
【００２４】
以下、本発明の実施の形態について、図面を用いて詳細に説明する。
【００２５】
図１は、本発明における漢字推定装置の機能構成図である。
【００２６】
図１によれば、漢字推定装置１は、対象文章蓄積部１０と、形態素解析部１１と、話題語抽出部１２と、漢字区分部１３と、漢字推定部１４と、類似語蓄積部１５と、話題語変換部１６と、漢字出力部１７と、名言蓄積部１８とを有する。これら機能構成部は、サーバに搭載されたコンピュータを機能させる漢字推定プログラムを実行させることによって実現できる。
【００２７】
［対象文章蓄積部１０］
対象文章蓄積部１０は、多数の対象文章を、所定条件に基づいて蓄積する。ここで、所定条件に基づく対象文章の集合が、形態素解析部１１へ出力される。「対象文章の集合」とは、何らかの意味を持つ時間的・空間的な範囲における集合であって、その集合を象徴する漢字一文字を抽出しようとするものである。
【００２８】
対象文章蓄積部１０は、例えば以下のような対象文章を蓄積するものであってもよい。
（１）ニュース記事に関する対象文章
主要なニュース記事を政治・経済等のジャンル毎に収録したサイトから収集する。
（２）オンラインコミュニティに関する対象文章
例えば映画レビューのコミュニティへの投稿文を収集する。
（３）twitter（登録商標）に関する対象文章
例えば個人の一定時間範囲（例えば１日）のツイートを収集する。
【００２９】
例えば１年分のニュース記事に関する対象文章からは、その年の世相を表す「漢字」一文字を抽出することができる。また、１年間の世相のような広い対象ではなく、例えば、時間的には一日又は一週間のように短期間に限定してもよいし、空間的には国内の特定地域又は特定のコミュニティのような範囲に限定してもよい。また、個人の１日分のツイートから、その日を象徴する漢字を推定することもできる。そのような「漢字」一文字に接したユーザは、その漢字の雰囲気及び感覚から、その対象文章が生起された時間・空間における雰囲気及び感覚を、直観的に理解することができる。
【００３０】
［形態素解析部１１］
形態素解析部１１は、対象文章蓄積部１０から対象文章を入力する。ここでは、一定範囲の対象文章の集合が入力されることによって、結果的に、それら対象文章全体を象徴する「漢字」を推定することができる。形態素解析部１１は、これら対象文章から、形態素解析によって単語を抽出する。ここで、「形態素解析」とは、文章を、意味のある単語に区切り、辞書を利用して品詞や内容を判別する技術をいう。「形態素」とは、文章の要素のうち、意味を持つ最小の単位（単語を含む）を意味する。
【００３１】
［話題語抽出部１２］
話題語抽出部１２は、単語毎の出現頻度に応じて、特徴的な所定数の話題語を抽出する。最も簡単な方法としては、単なる出現頻度＝出現回数であってもよい。また、所定数としては、例えば上位１００個の話題語とするものであってもよい。
【００３２】
ここで、出現頻度は、ＴＦ−ＩＤＦ（Term Frequency - Inverse Document Frequency：単語の出現頻度−逆出現頻度）値であってもよい。ＴＦ−ＩＤＦとは、文章中に出現した単語がどのくらい特徴的であるかを識別するための指標をいう。ＴＦ(term frequency)は、その文章の中でその単語が出現した回数を表し、ＩＤＦ(inverse document frequency)は、コーパス全体の中でその文章を含む文章数の自然対数を表す。そして、ＴＦ値×ＩＤＦ値が、その文章中におけるその単語のＴＦ−ＩＤＦ値となる。高いＴＦ−ＩＤＦ値を持つ単語ほど、話題性が高い（重要）であると認識される。
【００３３】
更に、出現頻度は、当該話題語が出現する対象文章の数を表すＤＦ(Document Frequency)値であってもよい。例えば各対象文章が各ニュース記事であった場合、ＤＦ値は、その話題語が含まれた記事数となる。また、例えば各対象文章がツイートであった場合、ＤＦ値は、その話題語が含まれたツイート数となる。
【００３４】
話題語抽出部１２は、単語毎の出現頻度に加えて、異なる対象文章蓄積部１０同士を比較して特徴的に出現する所定数の話題語を抽出するものであってもよい。例えば、２０１１年のニュース記事を対象文章として蓄積した対象文章蓄積部と、過去数年のニュース記事を対象文章として蓄積した対象文章蓄積部と、今年のニュース記事を対象文章として蓄積した対象文章蓄積部とを有するとする。このとき、毎年のように出現頻度が高い話題語も存在する。そこで、例えば今年だけ特有な話題語のみを、その年の話題語として抽出するのが好ましい。具体的には、話題語が出現するＤＦ値（記事数）が、平均的な他の年よりも突出して多い場合にのみ、話題語と認定することができる。即ち、毎年のように出現する話題語は、その年を代表する話題語とはいえないためである。
【００３５】
［漢字区分部１３］
漢字区分部１３は、話題語を漢字単位に区分すると共に、漢字毎に当該話題語の出現頻度を対応付ける。前述したように、出現頻度そのものであってもよいし、ＤＦ値やＴＦ−ＩＤＦ値であってもよい。例えば以下のように、漢字毎のＤＦ値が導出される。
話題語「震災」（ＤＦ値＝３０）->
「震災」から導かれる震のＤＦ値＋＝３０
「震災」から導かれる災のＤＦ値＋＝３０
同様に、「震」については、「地震」「震度」・・・などから
「災」については、「災害」「被災」・・・などから
導かれる各々の話題語に対応するＤＦ値が求められるので，
それらを合計することにより
->  震のＤＦ値＝２６７
->  災のＤＦ値＝２３４
【００３６】
他の実施形態として、漢字区分部１３は、所定の部首を含む漢字のみを、漢字推定部１４へ出力するものであってもよい。例えば部首「心」を含む漢字のみを出力するものであってもよい。部首「心」を含むような漢字は、人間の心理や感情を表すものが多い。このように、漢字区分部１３から出力される漢字の部首を特定することによって、ユーザに認識させる特定の目的に合わせて、漢字を推定することができる。
【００３７】
［漢字推定部１４］
漢字推定部１４は、出現頻度が高い所定数上位の漢字を、対象文章を象徴する漢字として推定する。
【００３８】
図２は、本発明の漢字推定部によって「漢字」をソートした表である。
【００３９】
図２によれば、１年分のニュース記事に関する対象文章から、「今年の漢字」といえる上位２０個の漢字が表されている。図２によれば、各漢字のＤＦ値に基づいて降順にソートされている。例えば、過去数年の平均出現頻度（ＤＦ値：記事数）よりも所定閾値倍以上となる話題語のみが、今年の漢字として推定されることも好ましい。所定閾値倍は、パラメータとして調整可能であって、１．５〜２．０倍程度が適当であって、例えば１．７倍であってもよい。
【００４０】
一方で、ＤＦ値やＴＦ−ＩＤＦ値のみを用いて上位の漢字を抽出するということは、漢字本来の特性が反映されていないことを意味する。次の段階として、漢字の持つ「造語能力（又は意味的多様性）」を考慮して、漢字を降順にソートすることが考えられる。その造語能力として、その漢字一文字が含まれる熟語数を用いる。
【００４１】
そこで、他の実施形態として、漢字推定部１４は、当該漢字を含む熟語数を記憶した国語漢字辞書情報を用いて、熟語数が少ない漢字ほど上位にソートさせるように、出現頻度に乗算することも好ましい。既存の国語辞書によれば、常用される基本漢字が用いられる漢字熟語の「熟語数（異なり数）」を知ることができる（例えば非特許文献３参照）。それによって、漢字の持つ熟語形成の多様性を反映させて、漢字をソートすることができる。即ち、ある漢字を含む熟語数に対して、話題語（熟語を含む）が占める割合が高いほど、その漢字への注目度が高いものと推定する。
【００４２】
図２における「今年の漢字」として推定された上位の漢字の傾向として、出現頻度だけでなく、多様な単語の形成に関係する程度や、情緒的な意味を内在する程度が高いものが多い。即ち、多様な単語の形成に関係する程度や、情緒的な意味を内在する程度が高い漢字ほど、実際の出現頻度以上に注目されることを意味する。そこで、本発明によれば、これらの属性を定量化して、出現頻度に基づくソートを調整する。
【００４３】
前項の具体例として、漢字のソートの調整パラメータとして、以下のものを用いる。
（１）当該漢字における（話題語の）熟語数ａ
（２）当該漢字における話題語を含む記事数ｂ
（３）ｂ／ａ＝話題語当りの平均出現数
（４）当該漢字を含む熟語数（漢字の意味的多様性の基本尺度）
そして、漢字推定部１４は、以下の式によって算出された調整ポイントによって、漢字をソートする。
調整ポイント＝（出現頻度／話題語数）／√（熟語数）
【００４４】
図２によれば、左列にＤＦ順に漢字がソートされており、右列に調整ポイント順に漢字がソートされている。調整ポイントによれば、２０１１年は、「震」->「災」->「電」->「被」->・・・の順に、漢字が推定されている。尚、話題語が固有名詞である場合、その話題語を区分した漢字に割り当てる調整ポイントに０．１を乗算した値を与えるものとする。
【００４５】
［類似語蓄積部１５］
類似語蓄積部１５は、第１の単語に類似する、漢字のみで構成された第２の単語を対応付けて記憶する。例えば以下のような対応付けである。
「オリンピック」<->「五輪」
【００４６】
［話題語変換部１６］
話題語変換部１６は、類似語蓄積部１５を用いて、話題語抽出部１２から出力された話題語に類似する単語を話題語として、漢字区分部１３へ出力する。ここで、話題語がカタカナ語であった場合は、同一対象を指す「漢字単語」に変換する。前述の例によれば、話題語「オリンピック」は、「五輪」に変換される。変換された「五輪」が、漢字区分部１３へ出力されて、各漢字「五」「輪」に区分される。
【００４７】
図３は、本発明におけるシステム構成図である。
【００４８】
近年、インターネットを介して、ブログ(Web log)やミニブログ(mini Web log)（例えばtwitter（登録商標））のようなサイトに対して、不特定多数の第三者からのコメント文章が、活発に発信されている。図３によれば、ミニブログサーバ２が、インターネットに更に接続されている。不特定多数の第三者のコメント投稿者は、端末４を用いて、ミニブログサーバ２へコメント文章を投稿すると共に、他人のコメント文章を閲覧することができる。端末４は、例えば携帯端末やスマートフォンのようなものであってもよい。
【００４９】
本発明によれば、漢字推定サーバ１が、インターネットに更に接続されている。漢字推定サーバ１は、一定範囲の多数のコメント文章（対象文章）をミニブログサーバ２から収集する。そして、漢字推定サーバ１は、それらコメント文章に関連する「漢字」（一文字）を推定する。推定された「漢字」は、ユーザ操作の端末３へ送信され、ユーザに認識させることができる。
【００５０】
図３によれば、図１と比較して、対象文章収集部１７と、漢字送信部１８と、名言蓄積部１９とを更に有する。
【００５１】
［対象文章収集部１７］
対象文章収集部１７は、例えばミニブログサーバ３からコメント文章（対象文章）を収集する。これらコメント文章は、対象文章蓄積部１０へ出力される。例えば、twitter（登録商標）の投稿文を対象文章とした場合、例えば個人の一定時間範囲、例えば１日分のツイートを収集することもできる。
【００５２】
［漢字送信部１８］
漢字送信部１８は、推定された所定数上位の漢字を、端末３へ送信する。ここで、所定数とは、１個の漢字であってもよいし、複数個の漢字であってもよい。端末３を操作するユーザは、その漢字が持つ雰囲気や感覚を知ることができる。
【００５３】
具体的な実施形態として、映画レビューのコミュニティへの投稿文を対象文章とした場合について説明する。それらの対象文章から漢字一文字を推定することによって、その映画に関する雰囲気や感覚を知ることができる。例えば、あるミュージカル映画の場合、そのコミュニティに１週間分で１２０件の投稿文があったとする。
話題語抽出部１２は、以下の話題語を抽出したとする。
「青年」「フランス」「愛情」「革命」
次に、話題語変換部１６は、以下のように話題語を変換する。
「フランス」->「仏」
次に、漢字区分部１３は、以下のように漢字に区分する。
「青」「年」「仏」「愛」「情」「革」「命」
そして、漢字推定部１４は、上位にソートされた漢字として以下のように推定する。
「愛」「革」「仏」「青」「情」・・・
最終的に、ユーザに明示する漢字一文字が１個の場合、「愛」のみが出力される。
【００５４】
［名言蓄積部１９］
名言蓄積部１９は、漢字と名言文章とを対応付けて蓄積する。例えば以下のように対応付けられているとする。
漢字「誤」->名言「猿も木から落ちる」
ここで、漢字送信部１８が、漢字「誤」を送信しようとしたとする。このとき、名言蓄積部１８を参照し、漢字「誤」と共に、名言「猿も木から落ちる」も送信する。これによって、ユーザは、漢字のみではなく、その漢字と結び付きが深い各種の名台詞や俳句・川柳のような名言も知ることができる。
他の実施形態として、漢字送信部１８が、抽出した漢字を名言サーバへ送信し、その漢字に対応する名言文章を受信するものであってもよい（例えば非特許文献４参照）。
【００５５】
図４は、本発明におけるシーケンス図である。
【００５６】
（Ｓ１０）漢字推定サーバ１は、対象文章を収集する（前述の対象文章収集部１７参照）。収集された対象文章は、対象文章蓄積部１０へ蓄積される。
（Ｓ１１）対象文章から形態素解析によって単語を抽出する（前述の形態素解析部１１参照）。
（Ｓ１２）単語毎の出現頻度に応じて、特徴的な所定数の話題語（単語）を抽出する（前述の話題語抽出部１２参照）。尚、例えばカタカナ語のような話題語は、漢字で構成された話題語へ変換される（前述の話題語変換部１６参照）。
（Ｓ１３）話題語を漢字単位に区分すると共に、漢字毎に当該話題語の出現頻度を対応付ける（前述の漢字区分部１３参照）。
（Ｓ１４）出現頻度が高い所定数上位の漢字を、対象文章を象徴する漢字として推定する（前述の漢字推定部１４参照）。
（Ｓ１５）ここで、推定された漢字と共に、その漢字に対応する名言を検索してもよい（前述の名言蓄積部１９参照）。
（Ｓ１６）最後に、漢字推定サーバ１は、対象文章を象徴する漢字（又はその名言）を、ユーザ操作に基づく端末３へ送信する。
【００５７】
以上、詳細に説明したように、本発明の漢字推定プログラム、装置、サーバ及び方法によれば、対象文章を象徴する漢字一文字を推定することができる。様々な時間や空間の範囲で生起する人々の多数の投稿文章を対象文章として、それらを象徴（総括）する漢字一文字を推定することができる。これによって、ユーザに対して、その漢字が持つ雰囲気や感覚を直観的に理解させ且つ共感させることができる。この点で、従来技術におけるテキスト要約やアノテーションと大きく異なる。
【００５８】
前述した本発明の種々の実施形態について、本発明の技術思想及び見地の範囲の種々の変更、修正及び省略は、当業者によれば容易に行うことができる。前述の説明はあくまで例であって、何ら制約しようとするものではない。本発明は、特許請求の範囲及びその均等物として限定するものにのみ制約される。
【符号の説明】
【００５９】
１  漢字推定サーバ
１０  対象文章蓄積部
１１  形態素解析部
１２  話題語抽出部
１３  漢字区分部
１４  漢字推定部
１５  類似語蓄積部
１６  話題語変換部
１７  対象文章収集部
１８  漢字送信部
１９  名言蓄積部
２  ミニブログサーバ
３  端末
４  コメント投稿者用の端末
【図１】
2014186429.tif 000003
【図２】
2014186429.tif 000004
【図３】
2014186429.tif 000005
【図４】
2014186429.tif 000006